(57)【要約】【課題】システムのトレースや再現が容易になる画像データの履歴管理方法の提供。【解決手段】入力されたテキストデータを画像データに変換するソフトウェアにより出力された前記画像データの履歴を管理する画像データの履歴管理方法であって、出力される前記画像データ内に、この画像データを閲覧可能なブラウザによって取り出し可能な状態で前記入力したテキストデータを埋め込む。【選択図】図１
2015076001.tif 000002
【特許請求の範囲】
【請求項１】
入力されたテキストデータを画像データに変換するソフトウェアにより出力された前記画像データの履歴を管理する画像データの履歴管理方法であって、出力される前記画像データ内に、この画像データを閲覧可能なブラウザによって取り出し可能な状態で前記入力したテキストデータを埋め込むことを特徴とする画像データの履歴管理方法。
【請求項２】
前記画像データ内に、画像処理を行ったプログラム若しくはスクリプトのソースを、前記ブラウザによって取り出し可能な状態で埋め込むことを特徴とする請求項１記載の画像データの履歴管理方法。
【請求項３】
入力されたテキストデータを画像データに変換するソフトウェアにより出力された前記画像データの履歴を管理する画像データの履歴管理システムであって、出力される前記画像データ内に、この画像データを閲覧可能なブラウザによって取り出し可能な状態で前記入力したテキストデータを埋め込む履歴情報埋込手段を備えたことを特徴とする画像データの履歴管理システム。
【請求項４】
前記画像データ内に、画像処理を行ったプログラム若しくはスクリプトのソースを、前記ブラウザによって取り出し可能な状態で埋め込むように前記履歴情報埋込手段を構成したことを特徴とする請求項３記載の画像データの履歴管理システム。
【発明の詳細な説明】
【技術分野】
【０００１】
本発明は、テキストデータから変換された画像データの履歴管理方法並びに履歴管理システムに関するものである。
【背景技術】
【０００２】
従来、テキストデータから、その情報を画像データに視覚化（例えば特許文献１に示すような一般的な表計算ソフトを用いてグラフ化等）する場合、元のテキストデータのファイル名や処理プログラムの識別のために、入力データファイル名と出力ファイル名を同一として、識別子のみを換えたり、一部情報だけをその画像データとともに表示したりする方法などで、プログラム使用者または、開発者が、その入出力の対応関係を意識しておく必要があった。
【先行技術文献】
【特許文献】
【０００３】
【特許文献１】特開２００１−３１２６８６号公報
【発明の概要】
【発明が解決しようとする課題】
【０００４】
しかしながら、従来方法において、入力ファイル名が後で上書きされ得る場合や視覚化するプログラムのバージョンが多数回にわたり上がってしまった場合には、入力テキストデータ、処理プログラム、出力画像データ間の関係を、履歴管理すること（トレースしたり、再現したりすること）が、煩雑となり、困難になってくる。
【０００５】
本発明は、上記問題点を解決すべくなされたものであり、画像データから処理時点での入力データそのもの又は処理プログラムのソースそのものを取り出すことが可能となり、システムのトレースや再現が容易になる実用性に優れた画像データの履歴管理方法並びに画像データの履歴管理システムを提供することを目的としている。
【課題を解決するための手段】
【０００６】
添付図面を参照して本発明の要旨を説明する。
【０００７】
入力されたテキストデータを画像データに変換するソフトウェアにより出力された前記画像データの履歴を管理する画像データの履歴管理方法であって、出力される前記画像データ内に、この画像データを閲覧可能なブラウザによって取り出し可能な状態で前記入力したテキストデータを埋め込むことを特徴とする画像データの履歴管理方法に係るものである。
【０００８】
また、前記画像データ内に、画像処理を行ったプログラム若しくはスクリプトのソースを、前記ブラウザによって取り出し可能な状態で埋め込むことを特徴とする請求項１記載の画像データの履歴管理方法に係るものである。
【０００９】
また、入力されたテキストデータを画像データに変換するソフトウェアにより出力された前記画像データの履歴を管理する画像データの履歴管理システムであって、出力される前記画像データ内に、この画像データを閲覧可能なブラウザによって取り出し可能な状態で前記入力したテキストデータを埋め込む履歴情報埋込手段を備えたことを特徴とする画像データの履歴管理システムに係るものである。
【００１０】
また、前記画像データ内に、画像処理を行ったプログラム若しくはスクリプトのソースを、前記ブラウザによって取り出し可能な状態で埋め込むように前記履歴情報埋込手段を構成したことを特徴とする請求項３記載の画像データの履歴管理システムに係るものである。
【発明の効果】
【００１１】
本発明は上述のようにするから、システムのトレースや再現が容易になる実用性に優れた画像データの履歴管理方法並びに画像データの履歴管理システムとなる。
【図面の簡単な説明】
【００１２】
【図１】本実施例の概略説明図である。
【図２】別例の概略説明図である。
【発明を実施するための形態】
【００１３】
好適と考える本発明の実施形態を、図面に基づいて本発明の作用を示して簡単に説明する。
【００１４】
出力した画像データファイルだけを残しておけば、後から、画像データ出力時に処理した、入力データや処理プログラムの内容等との関係を後からトレースすることが可能になり、よって、画像処理システム開発における履歴管理等が容易になる。
【実施例】
【００１５】
本発明の具体的な実施例について図面に基づいて説明する。
【００１６】
本実施例は、入力されたテキストデータを画像データに変換するソフトウェアにより出力された前記画像データの履歴を管理する画像データの履歴管理システムであって、出力される前記画像データ内に、この画像データを閲覧可能なブラウザによって取り出し可能な状態で前記入力したテキストデータを埋め込む履歴情報埋込手段を備えたものである。
【００１７】
本実施例は、主に数値からなるテキストデータを入力して、それをグラフ化して画像ファイルを出力するデータ処理システムに、履歴情報埋込手段を設けたものである。
【００１８】
テキストデータを画像データに入力するソフトウェアとは、比較的簡単な例をあげると、カンマで区切られた羅列数値データから、それらの値をグラフ画像に変換するもの（例えば一般的な表計算ソフト等）が上げられる。
【００１９】
また、二つ目の例として、寸法情報を寸法数値のスペース区切りからなるデータで与えると、３次元の鳥瞰図を作画し画像に変換するソフトウェア等も上げられる。今回の実施例では、テキストデータを画像データに処理するソフトウェアとして、統計ソフトＲ（http://www.r-project.org/）用のスクリプトを引用し、画像データファイルの例としてPDFファイルを想定して説明している。
【００２０】
また、テキストデータを画像データに埋め込むとは、そのプログラムの入力となる数値などのテキストデータを埋め込む場合に関しては、そのまま、データ区切りや改行含んだ、ありのままの形態で、画像データ内に表示したり、画像データファイルの添付ファイルとして添付したり、画像データファイルの属性、作成者欄、コメント欄、ファイル名などのテキスト入力可能なフィールドに埋め込むことを言う。また、後述する図２の例のように、そのソフトウェアのソースプログラムやスクリプトを埋め込む場合に関しては、それらの内容を文法（シンタックス）を遵守した形で、同様に、ありのままの形態で、画像データ内に表示したり、画像データファイルの添付ファイルとして添付したり、画像データファイルのファイル名を始めとする属性群、作成者欄、コメント欄などのテキスト入力可能なフィールドに埋め込むことを言う。
【００２１】
具体的には、本実施例は、図１のブロック図の中でテキストデータ（例として１−１のｃｓｖファイル）をグラフの画像（１−３）に変換する変換手段を備えたもので、出力される画像データは、例えばＰＤＦフォーマットである。また、本実施例は、テキストデータを画像データに変換する際、このテキストデータを画像データ内に埋め込む履歴情報埋込手段を備えている。具体的には、本実施例は、データ処理システムにテキストデータが入力された際、このテキストデータをテキストデータの数値に基づくグラフに変換すると共に、このグラフ画像データ中に元となるテキストデータを埋め込むように変換手段を構成している。
【００２２】
図１では、テキスト非表示の状態で埋め込まれている文字をグレーで示したが（１−４）、実際には、背景色とテキストの色が双方とも白であり、同じになって、電子的にはテキストデータが取り出せるようになっているが、入力の元となったｃｓｖの内容は、見えない形になっている。また、その画像データをプリンタ等に印刷した場合にも印刷物の上では目には見えないようにする。ただし、電子的には、色の如何にかかわらず、ファイル内に情報が存在するために、その画像データを閲覧可能なブラウザ等で取り出すことが可能である。その他にも、入力データの情報を出力画像データに埋め込む方法は、例えば、ＰＤＦの注釈欄にｃｓｖファイルの内容を流し込む方法、あるいは、そのｃｓｖファイルをＰＤＦに添付する方法等、後で取り出し可能という目的を達することができる方法であれば適宜採用できる。
【００２３】
従来技術では、処理システムの入力データとなったｃｓｖファイルが何だったかは、出力後の画像処理データ内に情報として残っていないので、システム使用者もしくは開発者が、入力データと出力画像処理データの対応を意識する必要があったが、本実施例では、出力画像データから元の入力データが取り出せるので、対応関係を気にする必要が全く無く、煩雑性を排除し良好な履歴管理ができる。
【００２４】
また、前記画像データ内に、元となるテキストデータに加えて、画像処理を行ったプログラム若しくはスクリプトのソースを、前記ブラウザによって取り出し可能な状態で埋め込むように前記履歴情報埋込手段を構成しても良い。
【００２５】
即ち、例えば、図２に示す別例のように、数値テキストデータ（２−１のｃｓｖファイル）をグラフの画像に変換するシステムとしても良い。出力される画像データはＰＤＦフォーマットである。入力情報である２−１のｃｓｖファイル、それをグラフ化するスクリプト内容が２−２のようであった場合、ｃｓｖ及び、スクリプトのテキストデータが処理された画像データ２−３に２−５、２−４のようにして埋め込まれたものが出力される。埋め込まれたテキストデータの表示は、グラフ本体の表示を邪魔しないような、薄い色の文字またはフォントサイズが小さい文字でなされる。薄い灰色で書かれたデータは、画像データの画素の明度やグレースケールで閾値処理をして、完全な黒として、変換した後、ＯＣＲ処理を行えば、入力元ｃｓｖとグラフ化に用いたスクリプトをテキストとして再現させることができる。また、表示の上で、全く見えないほどの小さいフォントサイズでも、電子的には、ファイル内部にテキスト情報があるため、埋め込まれたテキストデータを後から取り出すことが可能である。その余は図１の例と同様である。
【００２６】
なお、本発明は、本実施例に限られるものではなく、各構成要件の具体的構成は適宜設計し得るものである。
【図１】
2015076001.tif 000003
【図２】
2015076001.tif 000004